(57)【要約】      （修正有）【課題】従来のエアコン冷房運転によるヒートアイランド現象とエアコン運転時消費電力の減少ができて、暖房運転時の室外機凝縮器の霜を溶かす必要がなくなり、室内を充分に暖めることができる室外機を提供する。【解決手段】エアコン室外機内凝縮機３をペルチェ素子２に直流電流を流すと素子の表面に温度差が生じ、片面の熱をもう片面が吸収し放熱するという熱の移動効果の特性を利用して冷暖房運転時に合わせて電極を変えて冷却と放熱する事とエアコン室外機内ファンモータ動力５を利用した発電による。【選択図】図１
0003139429.tif 000002
【実用新案登録請求の範囲】
【請求項１】
エアコン室外機内凝縮機とファンの間にペルチェ素子を設けたことを特徴とするエアコン室外機。
【請求項２】
エアコン運転時のエアコン室外機内ファンモータの回転動力を利用した発電装置を設けたことを特徴とするエアコン室外機。
【考案の詳細な説明】
【技術分野】
【０００１】本考案は、エアコンに関するものであり、エアコン室外機内凝縮器とファンの間にペルチェ素子とファン動力を利用した発電装置を加えることによって一般家庭用・業務用エアコン冷房運転時にエアコン室外機内凝縮器から排出する排熱とエアコン運転時消費電力の減少とエアコン暖房運転時にエアコン室外機内凝縮器の霜を溶かす事が出来るエアコンに関する。
【背景技術】
【０００２】しかし、従来のようなエアコンでは、運転時のファン動力の利用や冷房運転時によるエアコン室外機内凝縮器から出る高温の排出熱を冷却せず大気に放出する事で、ヒートアイランド現象原因の一つとなり又、暖房運転時のエアコン室外機内凝縮器の霜つきにより霜を溶かすデフロスト運転の為に室内機の暖房が止まり室内が充分に暖められないでいた。
【考案の開示】
【考案が解決しようとする課題】
【０００３】しかし、これでは、冷房運転時の室外機から排出する高温の排熱の影響でヒートアイランド現象やエアコン運転時消費電力を減少する事や暖房運転時の室外機の霜を溶かすのにデフロスト運転で室内が充分に暖められない。
【課題を解決するための手段】
【０００４】この課題を解決するための請求項の考案は、エアコン室外機内の凝縮器とファンの間にペルチェ素子を設ける事を考案した（図１）、ペルチェ素子の特徴である直流電流を流すと素子の表面に温度差が生じ、片面の熱をもう片面が吸収し放熱するという熱の移動効果の特性を利用した冷却と放熱で熱交換時の凝縮器の熱を冷却して、大気に高温の排熱を排出する事とを防ぎ凝縮器の霜を溶かす事で、通常のデフロスト運転の必要がなくなり室内を充分に暖める事が出来る。
事が可能になる。【０００５】又、請求項２の考案は、エアコン室外機内プーリ一体型ファン（図４）にベルトをかけて動力をダイナモに伝え発電させバッテリーに蓄電し、インバータで変換し、エアコン運転時の電力とした装置を設ける事を考案した（図３）、エアコン運転時に回転するファンモータの動力を利用する事で発電・蓄電し、エアコン運転時の消費電力を減少することができる。
【考案の効果】
【０００６】本考案により、一般家庭や事務所で使用されるエアコン冷房運転時の排出熱・電力の発電で、ヒートアイランド現象・エアコン運転時消費電力の減少が出来て、エアコン暖房運転のデフロスト運転の必要がなくなり、室内を充分に暖める事が出来る。
【考案を実施するための最良の形態】
【０００７】以下、本考案の実施の形態を図１〜図４に基づいて説明する。【０００８】図１においては、１半密閉型冷温蔵ボックスによってエアコン室外機内３凝縮器から放出する高温、低温のの排出熱をゆるやかに放出する事が出来る、エアコン冷房運転時の３凝縮器の熱交換により発生する高温の排出熱を２ペルチェ素子から発生する冷気で冷却し、４排出口から低温の排出熱を放出する冷却装置で、２ペルチェ素子の電極を変えてエアコン暖房運転時に３凝縮器につく霜を溶かす放熱装置である。【０００９】図２においては、３凝縮器の熱交換により発生する高温の排出熱を冷却する為の２ペルチェ素子の半面を埋め込んだ密閉型の冷温蔵ボックスを組み込んだアルミフィンの熱交換器である。【００１０】図３においては、５プーリ一体型ファンの回転動力を６ベルトから７プーリへ伝え、８ダイナモで電力を発生させ、９バッテリーで蓄電し、１０インバータで供給電力に変換し、エアコン運転時の動力とする発電装置である。【００１１】図４においては、エアコン室外機ファンの回転動力を効率良く伝える為にプーリと一体化した５プーリ一体型ファンである。
【図面の簡単な説明】
【００１２】
【図１】本考案の実施形態を示すヒートアイランド現象・消費電力減少・霜つき防止エアコン室外機の凝縮器冷却、放熱装置の一部分断面立体図である。
【図２】本考案の実施形態を示すヒートアイランド現象・消費電力減少・霜つき防止エアコン室外機の凝縮器の熱交換により発生する高温の排出熱を冷却する為のペルチェ素子を組み込んだアルミフィンの熱交換器の一部分断面立体図である。
【図３】本考案の実施形態を示すヒートアイランド現象・消費電力減少・霜つき防止エアコン室外機のエアコン運転時の電力を生産する発電装置の立体図である
【図３】本考案の実施形態を示すヒートアイランド現象・消費電力減少・霜つき防止エアコン室外機内のエアコン室外機ファンの回転動力を効率良く伝える為にプーリと一体化したプーリ一体型ファンの立体図である。
【符号の説明】
【００１３】  １半密閉型冷温蔵ボックス
２ベルチェ素子を組み込んだアルミフィンの熱交換器
３エアコン室外機凝縮器
４排出口
５プーリ一体型ファン
６ベルト
７プーリ
８オルタネータ
９バッテリー
１０インバータ
１１ペルチェ素子
１２ペルチェ素子の半面を埋め込んだ密閉型冷温蔵ボックス
【図１】
0003139429.tif 000003
【図２】
0003139429.tif 000004
【図３】
0003139429.tif 000005
【図４】
0003139429.tif 000006
【手続補正書】
【提出日】平成19年8月27日(2007.8.27)
【手続補正１】
【補正対象書類名】明細書
【補正対象項目名】０００８
【補正方法】変更
【補正の内容】
【０００８】図１においては、１半密閉型冷温蔵ボックスによってエアコン室外機内３凝縮器から放出する高温、低温の排出熱を一気に放出せず、ゆるやかに放出する事が出来る、外気４排出口から取込みエアコン冷房運転時の３凝縮器の熱交換により発生する高温の排出熱を２ペルチェ素子から発生する冷気で冷却し、低温の排出熱を放出する冷却装置で、２ペルチェ素子の電極を変えてエアコン暖房運転時に３凝縮器につく霜を溶かす放熱装置である。
【手続補正書】
【提出日】平成19年8月28日(2007.8.28)
【手続補正１】
【補正対象書類名】明細書
【補正対象項目名】全文
【補正方法】変更
【補正の内容】
【考案の詳細な説明】
【技術分野】
【０００１】本考案は、エアコンに関するものであり、エアコン室外機内凝縮器とファンの間にペルチェ素子とファン動力を利用した発電装置を加えることによって一般家庭用・業務用エアコン冷房運転時にエアコン室外機内凝縮器から排出する排熱とエアコン運転時消費電力の減少とエアコン暖房運転時にエアコン室外機内凝縮器の霜を溶かす事が出来るエアコンに関する。
【背景技術】
【０００２】しかし、従来のようなエアコンでは、運転時のファン動力の利用や冷房運転時によるエアコン室外機内凝縮器から出る高温の排出熱を冷却せず大気に放出する事で、ヒートアイランド現象原因の一つとなり又、暖房運転時のエアコン室外機内凝縮器の霜つきにより霜を溶かすデフロスト運転の為に室内機の暖房が止まり室内が充分に暖められないでいた。
【考案の開示】
【考案が解決しようとする課題】
【０００３】しかし、これでは、冷房運転時の室外機から排出する高温の排熱の影響でヒートアイランド現象やエアコン運転時消費電力を減少する事や暖房運転時の室外機の霜を溶かすのにデフロスト運転で室内が充分に暖められない。
【課題を解決するための手段】
【０００４】この課題を解決するための請求項の考案は、エアコン室外機内の凝縮器とファンの間にペルチェ素子を設ける事を考案した（図１）、ペルチェ素子の特徴である直流電流を流すと素子の表面に温度差が生じ、片面の熱をもう片面が吸収し放熱するという熱の移動効果の特性を利用した冷却と放熱で熱交換時の凝縮器の熱を冷却して、大気に高温の排熱を排出する事とを防ぎ凝縮器の霜を溶かす事で、通常のデフロスト運転の必要がなくなり室内を充分に暖める事が出来る事が可能になる。【０００５】又、請求項２の考案は、エアコン室外機内プーリ一体型ファン（図４）にベルトをかけて動力をダイナモに伝え発電させバッテリーに蓄電し、インバータで変換し、エアコン運転時の電力とした装置を設ける事を考案した（図３）、エアコン運転時に回転するファンモータの動力を利用する事で発電・蓄電し、エアコン運転時の消費電力を減少することができる。
【考案の効果】
【０００６】本考案により、一般家庭や事務所で使用されるエアコン冷房運転時の排熱・電力の発電で、ヒートアイランド現象・エアコン運転時消費電力の減少が出来て、エアコン暖房運転のデフロスト運転の必要がなくなり、室内を充分に暖める事が出来る。
【考案を実施するための最良の形態】
【０００７】以下、本考案の実施の形態を図１〜図４に基づいて説明する。【０００８】図１においては、１半密閉型冷温蔵ボックスによってエアコン室外機内３凝縮器から放出する高温、低温の排出熱を一気に放出せず、ゆるやかに放出する事が出来る、外気を４吸入口から取込みエアコン冷房運転時の３凝縮器の熱交換により発生する高温の排出熱を２ペルチェ素子から発生する冷気で冷却し、５プーリ一体型ファンで大気に低温の排出熱を放出する冷却装置で、２ペルチェ素子の電極を変えてエアコン暖房運転時に３凝縮器につく霜を溶かす放熱装置である。【０００９】図２においては、３凝縮器の熱交換により発生する高温の排出熱を冷却する為の２ペルチェ素子の半面を埋め込んだ密閉型の冷温蔵ボックスを組み込んだアルミフィンの熱交換器である。【００１０】図３においては、５プーリ一体型ファンの回転動力を６ベルトから７プーリへ伝え、８ダイナモで電力を発生させ、９バッテリーで蓄電し、１０インバータで供給電力に変換し、エアコン運転時の動力とする発電装置である。【００１１】図４においては、エアコン室外機ファンの回転動力を効率良く伝える為にプーリと一体化した５プーリ一体型ファンである。
【図面の簡単な説明】
【００１２】
【図１】本考案の実施形態を示すヒートアイランド現象・消費電力減少・霜つき防止エアコン室外機の凝縮器冷却、放熱装置の一部分断面立体図である。
【図２】本考案の実施形態を示すヒートアイランド現象・消費電力減少・霜つき防止エアコン室外機の凝縮器の熱交換により発生する高温の排出熱を冷却する為のペルチェ素子を組み込んだアルミフィンの熱交換器の一部分断面立体図である。
【図３】本考案の実施形態を示すヒートアイランド現象・消費電力減少・霜つき防止エアコン室外機のエアコン運転時の電力を生産する発電装置の立体図である
【図４】本考案の実施形態を示すヒートアイランド現象・消費電力減少・霜つき防止エアコン室外機内のエアコン室外機ファンの回転動力を効率良く伝える為にプーリと一体化したプーリ一体型ファンの立体図である。
【符号の説明】
【００１３】    １半密閉型冷温蔵ボックス
２ベルチェ素子を組み込んだアルミフィンの熱交換器
３エアコン室外機凝縮器
４吸入口
５プーリ一体型ファン
６ベルト
７プーリ
８オルタネータ
９バッテリー
１０インバータ
１１ペルチェ素子
１２ペルチェ素子の半面を埋め込んだ密閉型冷温蔵ボックス
【手続補正書】
【提出日】平成19年11月2日(2007.11.2)
【手続補正１】
【補正対象書類名】明細書
【補正対象項目名】００１２
【補正方法】変更
【補正の内容】
【００１２】
【図１】本考案の実施形態を示すヒートアイランド現象・消費電力減少・霜つき防止エアコン室外機の凝縮器冷却、放熱装置の一部分断面立体図である。
【図２】本考案の実施形態を示すヒートアイランド現象・消費電力減少・霜つき防止エアコン室外機の凝縮器の熱交換により発生する高温の排出熱を冷却する為のペルチェ素子を組み込んだアルミフィンの熱交換器の一部分断面立体図である。
【図３】本考案の実施形態を示すヒートアイランド現象・消費電力減少・霜つき防止エアコン室外機のエアコン運転時の電力を生産する発電装置の立体図である
【図４】本考案の実施形態を示すヒートアイランド現象・消費電力減少・霜つき防止エアコン室外機内のエアコン室外機ファンの回転動力を効率良く伝える為にプーリと一体化したプーリー体型ファンの立体図である。